(57)【要約】【課題】これまでの活動量計は、運動データ以外の情報提供が不十分であり使用者の運動へのモチベーションを高める機能が不足していた。【解決手段】運動量検出手段２、記憶手段８、表示手段３及び情報機器９とデータの送受信を行う通信手段５とを有する活動量計１において、前記記憶手段８は運動データを記憶する領域の他に前記情報機器９から送信されるコンテンツを記憶するコンテンツ記憶部８１を設けると共に、前記表示手段３は運動データを表示する運動データ表示部３２の他に前記コンテンツ記憶部８１に記憶されたコンテンツを表示するコンテンツ表示部３１を設けた。【選択図】図１
2012085889.tif 000002
【特許請求の範囲】
【請求項１】
運動量検出手段と、当該運動量検出手段で検出した運動データを記憶する記憶手段と、前記運動データを表示する表示手段と、情報機器との間でデータの送受信を行う通信手段とを有する活動量計において、
前記記憶手段は、前記運動データを記憶する運動データ記憶部と、前記情報機器から送信されるコンテンツを記憶するコンテンツ記憶部とを備えると共に、
前記表示手段は、前記運動データ記憶部に記憶された前記運動データを表示する運動データ表示部と、前記コンテンツ記憶部に記憶された前記コンテンツを表示するコンテンツ表示部とを備えたことを特徴とする活動量計。
【請求項２】
前記活動量計は、前記コンテンツ記憶部に記憶された前記コンテンツが商業情報であるかまたはコンピュータプログラムであるかを判別するコンテンツ判別手段を備えたことを特徴とする請求項１に記載の活動量計。
【発明の詳細な説明】
【技術分野】
【０００１】
本発明は活動量計に係わり、特に活動量計の表示画面に、運動に係わるデータとともにニュースや広告情報など、任意の情報の集合体を表示することによって使用者に様々な情報を提供する活動量計に関する。
【背景技術】
【０００２】
運動は、健康増進と疾病の予防及び回復に効果があるので、多くの人が日常生活の中に取り入れている。しかしながら、運動の効果を上げるためには、毎日継続しなくてはならない。
運動を継続させるため、運動へのモチベーションを高める技術がいくつか開示されている。
【０００３】
一例を挙げると、最も身近な運動である歩行を楽しくするために、歩数計で測定された歩数から歩行距離を算出し、これを累積して延べの歩行距離を表示する技術が下記の特許文献１に開示されている。
【０００４】
特許文献１に示された従来技術は、日々の歩数から歩行距離を算出して、歩数計に例えば東海道の地図情報を記憶しておき、歩行によって現在どの地点に至ったかを表示してモチベーションを高め、歩行運動への励みとするものである。
【０００５】
図６を使用して特許文献１に開示された従来技術の概略を説明する。なお、図６は特許文献１に開示された歩数計の表示例を示す。
歩数計のディスプレイ６０には、歩数計に記憶した地図情報と、出発地点Ｔｓと終了地点Ｔｅが表示され、歩数と歩幅から算出した歩行距離から、現在地図上のどの地点Ｔ１〜Ｔ９にいるかを光る点で表示するようにしたものである。
【０００６】
さらに健康改善の努力を行なわせる強い動機付けを与え、健康的な生活習慣の継続を促すとともに、慈善活動を効率的かつ効果的に行うことができる健康増進支援システムに関する技術が次に示す特許文献２に開示されている。
【０００７】
特許文献２に開示された従来技術は、自らの健康改善の努力が自分のためだけでなく社会や他の人のためにもなるという強い動機付けを与え、日常の運動量を増やす等生活習慣を改善する励みとなり健康増進を図る活動を支援するものである。
【０００８】
図７を使用して特許文献２に開示された健康増進支援システムの概要を説明する。図７は特許文献２に開示された健康増進支援システムの全体の構成を示す図である。
【０００９】
ユーザの生体情報や活動量は、活動量計測装置２００や生体情報検出装置３００によって測定され、ユーザ端末装置１００を通じてネットワーク通信網４００を介してサーバ装置５００に送信される。
【００１０】
サーバ装置５００は、送信された健康情報、すなわち活動量や生体情報から運動量や健康度など健康増進ポイントを算出し、ウオーキングチャリティなどでイベント協賛企業や団体等から集めた寄付金を健康ポイントに応じて算出し、募金団体に寄付するものである。参加者は自らの運動や健康度に応じた社会貢献が出来るので、運動に対しモチベーションを高めることができ、健康的な生活習慣の継続が促進される。
【先行技術文献】
【特許文献】
【００１１】
【特許文献１】特開２００１−２９６１３９号公報
【特許文献２】特開２００４−３１８５３４号公報
【発明の概要】
【発明が解決しようとする課題】
【００１２】
特許文献１の開示技術においては、毎日の歩行運動の結果は実際の地名を使って表示され使用者の興味をそそるので、当初は歩行運動の結果を面白く把握することができるが、内容は歩数計に内蔵されているプログラムの繰り返しなので、使用者は途中で興味を失ってしまうことが多い。
【００１３】
特許文２の開示技術では、ユーザは自らの運動が社会貢献に役立つと認識できて運動への動機付けをする効果はあるが、社会貢献をしているとの認識は、ユーザ端末装置１００の表示画面を通じてもたらされ、きつい運動を行っている最中にタイムリーに動機付けされるのではないので、ユーザの運動へのモチベーションを高め運動を楽しくさせる技術とは言い難い。
【００１４】
本発明の目的は、上記従来技術に伴う課題を解決し、運動へのモチベーションを高めることができるとともに運動を楽しみながら継続することができる活動量計を提供することにある。
【００１５】
なお、本明細書において、「コンテンツ」とは「情報の集合体」であり、さらに「商業情報」とはコンテンツの１つであり、映像や画像、音楽、文章、あるいはそれらを組み合わせた、ニュース、広告、小説、映画、テレビ番組、歌、漫画、アニメであると定義する。また、「コンピュータプログラム」とはコンテンツの１つであり、マイコンや電子計算機に対する指令であって一の結果を得ることができるように組み合わせたものと定義する。
【課題を解決するための手段】
【００１６】
上記課題を解決するための本発明の構成を詳述すれば、請求項１に係わる発明は、運動量検出手段と、当該運動量検出手段で検出した運動データを記憶する記憶手段と、前記運動データを表示する表示手段と、情報機器との間でデータの送受信を行う通信手段とを有する活動量計において、前記記憶手段は、前記運動データを記憶する運動データ記憶部と、前記情報機器から送信されるコンテンツを記憶するコンテンツ記憶部とを備えると共に、前記表示手段は、前記運動データ記憶部に記憶された前記運動データを表示する運動データ表示部と、前記コンテンツ記憶部に記憶された前記コンテンツを表示するコンテンツ表示部とを備えたことを特徴とする活動量計である。
【００１７】
また、請求項２に係わる発明は、前記コンテンツ記憶部に記憶された前記コンテンツが商業情報であるかまたはコンピュータプログラムであるかを判別するコンテンツ判別手段を備えたことを特徴とする請求項１に記載の活動量計である。
【発明の効果】
【００１８】
本発明に係わる活動量計によれば、使用者は、歩行などの運動中に運動データに加えて広告やニュースなどの興味を惹くコンテンツも得られるので、運動中の気が紛れて運動が苦にならなくなり、さらに運動の成果や進捗がグラフやゲーム感覚で表示部に表現され、興味が薄れたら別のものに更新出来るので、使用者の運動へのモチベーションが高まり運動効果が確実に上がる。
【図面の簡単な説明】
【００１９】
【図１】本発明による活動量計の構成を示すブロック図である。
【図２】本発明による活動量計と情報機器との通信システムを示す外観図である。
【図３】本発明による活動量計の回路構成図である。
【図４】本発明による活動量計の外観図である。
【図５】本発明による活動量計の表示例を示す外観図である。
【図６】従来例の歩数計の表示例を示す外観図である。
【図７】従来例の健康増進支援システムの全体構成図である。
【発明を実施するための形態】
【００２０】
本発明に係わる活動量計は、通信手段を有する活動量計を情報機器のリーダライタにかざすことにより、情報機器から商業情報やコンピュータプログラムなどのコンテンツを受信し、広告やニュースなど使用者の興味を惹く商業情報を活動量計の画面に表示したり、あるいは情報機器から受信した新しいコンピュータプログラムによって、表示内容を新しい表現に変えたり活動量計そのものの動作を変えたりすることで、使用者の運動へのモチベーションを高め運動を楽しくさせるものである。
【実施例】
【００２１】
以下、図１から図５を用いて本発明の活動量計の実施例を説明する。
【００２２】
［ブロック図構成説明］
図１を用いて活動量計１の構成を説明する。図１は前記したように本発明に係わる活動量計の構成を示すブロック図である。
【００２３】
図中１は活動量計の全体を示すもので、当該活動量計１は運動量検出手段２と、表示手段３と、通信手段５と、電池６と、記憶手段８及びコンテンツ判別手段１０とから構成される。
【００２４】
また、運動量検出手段２は、体動センサ２１と、入力部４と、運動データ算出部２２とから構成され、表示手段３は、コンテンツ表示部３１と、運動データ表示部３２とから構成されている。さらに、記憶手段８はコンテンツ記憶部８１と運動データ記憶部８２とから構成されている。
なお説明のため、後述する情報機器のリーダライタ９１と通信用媒体である交流磁界Ｗとを破線で示してある。
【００２５】
運動量検出手段２を構成する体動センサ２１は使用者の歩行や日常動作等の体動を検出し体動信号Ｔｓを出力する。入力部４は個人データＫｄを入力する。なお個人データＫｄとは、年令と性別及び身長と体重である。
【００２６】
運動データ算出部２２は、体動信号Ｔｓ及び個人データＫｄ並びに後述するコンテンツ判別手段１０からのコンピュータプログラムＣｍｐとを入力して運動データＨｄを出力し、記憶手段８の運動データ記憶部８２に入力する。
なお、運動データＨｄとは歩数、運動量、消費カロリを基本とするが、コンピュータプログラムＣｍｐによって、歩行距離、運動時間、運動強度などの別の項目を算出することが出来る。
【００２７】
記憶手段８は、運動データ算出部２２が出力する運動データＨｄを運動データ記憶部８２に記憶し、運動データ記憶部８２は記憶した運動データＨｄｍを出力して表示手段３の運動データ表示部３２と、後述する通信手段５とに入力する。
【００２８】
また、記憶手段８は、通信手段５が出力するコンテンツＣｔをコンテンツ記憶部８１に記憶し、コンテンツ記憶部８１は記憶したコンテンツＣｍを出力してコンテンツ判別手段１０に入力する。
【００２９】
コンテンツ判別手段１０は、コンテンツＣｍを入力して、コンテンツＣｍのファイル構成や拡張子から商業情報Ｃｍａを判別して出力し、表示手段３のコンテンツ表示部３１に入力する。またコンテンツ判別手段１０は、コンテンツＣｍからコンピュータプログラムＣｍｐを同様の方法で判別して出力し、運動量検出手段２の運動データ算出部２２に入力する。
【００３０】
すなわち、コンテンツ判別手段１０は、コンテンツＣｍを商業情報ＣｍａとコンピュータプログラムＣｍｐに判別し、各々を表示手段３のコンテンツ表示部３１及び運動量検出手段２の運動データ算出部２２に分けて入力する。
【００３１】
表示手段３は、コンテンツ表示部３１と運動データ表示部３２とから構成される。コンテンツ表示部３１は、コンテンツ判別手段１０から出力されるコンテンツＣｍａを入力しこれを表示する。
運動データ表示部３２は、記憶手段８の運動データ記憶部８２から運動データＨｄｍを入力し表示する。
【００３２】
通信手段５は、約１３メガヘルツの交流磁界Ｗを通信用媒体として、パソコンや携帯電話等の情報機器とリーダライタ９１を通じて非接触でデータの送受信を行う。なお、より詳細には、通信手段５は記憶手段８の運動データ記憶部８２に記憶された運動データＨｄｍを、リーダライタ９１を通じてパソコンや携帯電話等の情報機器に送信し、またリーダライタ９１を通じて情報機器からコンテンツＣｔを受信し、記憶手段８のコンテンツ記憶部８１に入力する。
【００３３】
［動作説明］
図１と図２を用いて活動量計１の動作を説明する。
図２は、活動量計１と情報機器９およびリーダライタ９１とから構成される通信システムを示す外観図である。
【００３４】
図１において、使用者は入力部４を用いて、年令と性別及び身長と体重からなる個人データＫｄを入力する。
【００３５】
図示していないが、使用者は活動量計１を例えば腰に装着し、歩行などの運動を開始する。
使用者が運動を始めると、図１に示す様に、体動センサ２１は体動信号Ｔｓを出力し、運動データ算出部２２は体動信号Ｔｓ及び個人データＫｄ並びにコンピュータプログラムＣｍｐとに基づいて、歩数、運動量、消費カロリからなる運動データＨｄを算出し、これを出力する。
【００３６】
記憶手段８の運動データ記憶部８２は、運動データ算出部２２から送出される運動データＨｄを逐一入力し逐一記憶する。
【００３７】
使用者が運動を終了した場合、使用者は図２に示す様に活動量計１を情報機器９に内蔵されているかまたは接続されているリーダライタ９１にかざすか、あるいはリーダライタ９１に近づける。すると図１において、記憶手段８の運動データ記憶部８２が出力する運動データＨｄｍは、通信手段５によってリーダライタ９１を経由し、情報機器９に送信される。
【００３８】
図２において、活動量計１からリーダライタ９１を通じて情報機器９へ運動データＨｄｍの送信が完了すると、情報機器９はコンテンツＣｔを通信手段５を介して活動量計１に送る。
【００３９】
図１において、活動量計１の通信手段５は、受信したコンテンツＣｔを出力し記憶手段８のコンテンツ記憶部８１にこれを入力する。記憶手段８のコンテンツ記憶部８１はコンテンツＣｔを記憶し、記憶したコンテンツＣｍをコンテンツ判別手段１０に入力する。
【００４０】
コンテンツ判別手段１０は、コンテンツＣｍのファイル構成や拡張子からコンテンツＣｍが商業情報Ｃｍａであるか、またはコンピュータプログラムＣｍｐであるかを判別し、表示手段３のコンテンツ表示部３１または運動量検出手段２の運動データ算出部２２に入力する。以下に詳述する。
【００４１】
記憶手段８のコンテンツ記憶部８１が出力するコンテンツＣｍは、ニュースや商店の広告や企業の情報などの商業情報Ｃｍａである場合と、後述するマイクロプロセッサに使用されるコンピュータプログラムＣｍｐである場合と、またこれら両者を含む場合とがある。
【００４２】
初めにコンテンツＣｔが商業情報Ｃｍａである場合の動作につき説明する。
コンテンツ判別手段１０は、コンテンツＣｍが商業情報Ｃｍａであると判別すると表示手段３のコンテンツ表示部３１に商業情報Ｃｍａを入力する。
【００４３】
表示手段３のコンテンツ表示部３１は、コンテンツ判別手段１０が出力する商品広告・求人広告・ニュース・天気予報などの商業情報Ｃｍａを入力し表示する。
【００４４】
次にコンテンツＣｔがコンピュータプログラムＣｍｐである場合の動作につき説明する。
コンテンツ判別手段１０は、コンテンツＣｍがコンピュータプログラムＣｍｐであると判別すると運動量検出手段２の運動データ算出部２２にコンピュータプログラムＣｍｐを入力する。
【００４５】
運動量検出手段２の運動データ算出部２２は、図示していないがメモリを備えており、このメモリに運動データを算出するための処理プログラムを記憶している。
【００４６】
運動データ算出部２２にコンピュータプログラムＣｍｐが入力されると、運動データ算出部２２のメモリに記憶された処理プログラムは、コンピュータプログラムＣｍｐに置き換えられ、運動データ算出部２２はコンピュータプログラムＣｍｐに基づく新しい運動データＨｄを出力し、記憶手段８の運動データ記憶部８２に入力する。
【００４７】
コンピュータプログラムＣｍｐは、運動データＨｄの算出項目を新しくする以外に、例えば筋肉トレーニング運動など異なる運動のデータ算出など、運動データ算出部２２の基本動作を一新することも可能である。
【００４８】
表示手段３の運動データ表示部３２は、記憶手段８の運動データ記憶部８２が出力する歩数、運動量、消費カロリなどの運動データＨｄｍを入力しこれを表示する。
【００４９】
［回路ブロック図説明］
図３を用い、図１を併用して本発明に係わる活動量計１の回路構成を説明する。
図３において、活動量計１は体動センサ２１と、マイクロプロセッサ７と、入力部４としての設定スイッチ４１と、記憶手段８としてのコンテンツ記憶部８１および運動データ記憶部８２と、表示手段３としてのコンテンツ表示部３１および運動データ表示部３２と、通信手段５と電池６とから構成される。
【００５０】
体動センサ２１は圧電素子や接点式振動センサやＭＥＭＳ（Ｍｉｃｒｏ  Ｅｌｅｃｔｒｏ  Ｍｅｃｈａｎｉｃａｌ  Ｓｙｓｔｅｍｓ）型加速度センサなどで構成し、体動信号Ｔｓを検出してマイクロプロセッサ７に入力する。
設定スイッチ４１は、個人データＫｄを設定するためのスイッチで構成されている。
【００５１】
マイクロプロセッサ７は、活動量計１の全体の動作を制御すると共に、体動信号Ｔｓと個人データＫｄとから運動データＨｄを出力する。
【００５２】
なお、マイクロプロセッサ７は、図１に示す運動量検出手段２の運動データ算出部２２の機能およびコンテンツ判別手段１０の機能を、ソフトウエアモジュールの形態で有している。
【００５３】
記憶手段８は、ＥＥＰＲＯＭやフラッシュメモリの様な不揮発性記憶素子により構成され、コンテンツ記憶部８１および運動データ記憶部８２並びに特に図示していないが運動量検出手段２の運動データ算出部２２のメモリなどを備えている。
【００５４】
通信手段５は、約１３メガヘルツの交流磁界Ｗを媒体にして運動データＨｄｍを、リーダライタ９１を通じて情報機器９に送信し、また情報機器９からコンテンツＣｔを受信する作用をなす。
【００５５】
通信手段５は、実施例の非接触近距離通信方式以外に、例えば情報機器の端末機器として知られているブルートゥース送受信器や、微弱電力型無線通信装置などを用いることも可能である。
【００５６】
表示手段３のコンテンツ表示部３１および運動データ表示部３２は、例えばＬＣＤなどを用いることができる。
実施例ではコンテンツ表示部３１はドットマトリックス型ＬＣＤで構成し、運動データ表示部３２はセグメント型ＬＣＤで構成しているが、コンテンツ表示部３１および運動データ表示部３２ともにドットマトリックス型ＬＣＤとし、一体化して構成しても良いのは勿論である。
【００５７】
なお、電源は活動量計１を駆動するための薄型のボタン電池６である。
【００５８】
［外観図説明］
図４および図５を用い本発明に係わる活動量計１の外観と表示例を説明する。
図４は、本発明による活動量計１の外観図で、表示手段３のコンテンツ表示部３１に表示した商業情報Ｃｍａの一例を示し、図５は表示手段３の外観図で、コンピュータプログラムＣｍｐによるコンテンツ表示部３１の表示内容の変化を示す。
【００５９】
図４において、活動量計１は手のひらに載るサイズであり、表面に４個の設定スイッチ２１と、コンテンツ表示部３１と運動データ表示部３２とを一体化したドットマトリックス型ＬＣＤを備えている。
【００６０】
図４に示す様に運動データ表示部３２には、一例として当日歩いた歩数が「本日の歩数  ３０００歩」の様に表示され、コンテンツ表示部３１には、商業情報Ｃｍａの一例として商店の広告が表示される。
【００６１】
図５（ａ）は、表示手段３のコンテンツ表示部３１の当初の表示例を示し、図５（ｂ）は図１に示す運動量検出手段２の運動データ算出部２２の処理プログラムをコンピュータプログラムＣｍｐで置き換えた結果、変更されたコンテンツ表示部３１の例を示す。
【００６２】
図５（ａ），（ｂ）に示す様に、その日までの運動の結果は運動データ表示部３２に歩数として表示され、コンテンツ表示部３１には、目標に対する進捗度がグラフや山登りのゲーム感覚で、表示される。
【００６３】
以上述べた様に本発明によれば、活動量計を情報機器のリーダライタにかざすことで情報機器から商業情報やコンピュータプログラムなどのコンテンツを受信し、広告やニュースなど使用者の興味を惹く商業情報を活動量計の画面に表示したり、あるいは情報機器から活動量計用の新しいコンピュータプログラムを受信し、表示内容を新しい表現にしたり活動量計そのものの動作を変えたりすることで、使用者の運動へのモチベーションを高め歩行を楽しくすることができるものである。
【符号の説明】
【００６４】
１  ：活動量計
２  ：運動量検出手段
２１：体動センサ
２２：運動データ算出部
３  ：表示手段
３１：コンテンツ表示部
３２：運動データ表示部
４  ：入力部
４１：設定スイッチ
５  ：通信手段
６  ：電池
７  ：マイクロプロセッサ
８  ：記憶手段
８１：コンテンツ記憶部
８２：運動データ記憶部
９  ：情報機器
９１：リーダライタ
１０：コンテンツ判別手段
６０：ディスプレイ
１００：ユーザ端末装置
２００：活動量計測装置
３００：生体情報検出装置
４００：ネットワーク通信網
５００：サーバ装置
Ｔｓ：体動信号
Ｋｄ：個人データ
Ｈｄ，Ｈｄｍ：運動データ
Ｃｔ，Ｃｍ：コンテンツ
Ｃｍａ：商業情報
Ｃｍｐ：コンピュータプログラム
Ｗ  ：交流磁界
【図１】
2012085889.tif 000003
【図２】
2012085889.tif 000004
【図３】
2012085889.tif 000005
【図４】
2012085889.tif 000006
【図５】
2012085889.tif 000007
【図６】
2012085889.tif 000008
【図７】
2012085889.tif 000009